(57)【特許請求の範囲】
【請求項１】
パネルと、
該パネルの下部に係合する下枠部材と、
該下部部材を吊るワイヤーと、
前記パネルの上部に係合し、前記ワイヤーが上下方向に貫通する上枠部材と、
前記下枠部材に取り付けられた、前記ワイヤーの任意の位置に係止可能なワイヤーグリッパーと、
を具備するパネル吊り装置であって、
前記上枠部材は、断面が対向する一対の側板を含むコの字状をしているとともに、該コの字の開口が下を向いたチャンネル部材を有しており、該チャンネル部材の両端は前記パネルの幅よりも外に延び出ているとともに、該両端には前記ワイヤーが貫通する孔が開けられており、
前記下枠部材は、断面が対向する一対の側板を含むコの字状をしているとともに、該コの字の開口が上を向いたチャンネル部材を有し、該チャンネル部材の両端は前記パネルの幅よりも外に延び出ているとともに、該両端には前記ワイヤーグリッパーが取り付けられており、
前記ワイヤーグリッパーの前記ワイヤーへの係止を解除する解除操作部が前記下部枠材から突出し、前記ワイヤーグリッパーの前記解除操作部を除く部分が、前記下枠部材内に収容された状態で、前記下枠部材に取り付けられており、
前記下枠部材の前記ワイヤーへの係止位置を決め、前記上枠部材を前記ワイヤーに沿って上方向にスライドさせて両枠部材の間を空け、前記パネルの下端を前記下枠部材のチャンネル部材の側板間に保持し、前記上枠部材を下方にスライドさせて、前記パネルの上端を前記上枠部材のチャンネル部材の側板間に保持可能なことを特徴とするパネル吊り装置。
【発明の詳細な説明】
【技術分野】
【０００１】
本発明は、ショーウィンドウ等のディスプレイ用空間において、パネルやバーを所望の位置に吊り下げることのできる、小型で見栄えの良いパネル吊り装置及びバー吊り装置に関する。
【背景技術】
【０００２】
ショーウィンドウ等のディスプレイ用空間においては、ワイヤーで吊り下げられたパネルやバーに、ポスターやハンガー等が保持されてディスプレイされている。このようなパネルやバーは、ワイヤーの任意の位置に移動できたり、ワイヤーの途中から簡単に取り外されることが好ましい。また、機構自体が小型で見栄えがよいことも要求される。
【発明の開示】
【発明が解決しようとする課題】
【０００３】
本発明は上記の点に鑑みてなされたものであって、小型で見栄えの良いパネル吊り装置及びバー吊り装置を提供することを目的とする。
【課題を解決するための手段】
【０００４】
本発明のパネル吊り装置は、  パネルと、  該パネルの下部に係合する下枠部材と、  該下部部材を吊るワイヤーと、  前記パネルの上部に係合し、前記ワイヤーが上下方向に貫通する上枠部材と、  前記下枠部材に取り付けられた、前記ワイヤーの任意の位置に係止可能なワイヤーグリッパーと、を具備するパネル吊り装置であって、  前記上枠部材は、断面が対向する一対の側板を含むコの字状をしているとともに、該コの字の開口が下を向いたチャンネル部材を有しており、該チャンネル部材の両端は前記パネルの幅よりも外に延び出ているとともに、該両端には前記ワイヤーが貫通する孔が開けられており、 前記下枠部材は、断面が対向する一対の側板を含むコの字状をしているとともに、該コの字の開口が上を向いたチャンネル部材を有し、該チャンネル部材の両端は前記パネルの幅よりも外に延び出ているとともに、該両端には前記ワイヤーグリッパーが取り付けられており、  前記ワイヤーグリッパーの前記ワイヤーへの係止を解除する解除操作部が前記下部枠材から突出し、前記ワイヤーグリッパーの前記解除操作部を除く部分が、前記下枠部材内に収容された状態で、前記下枠部材に取り付けられており、 前記下枠部材の前記ワイヤーへの係止位置を決め、前記上枠部材を前記ワイヤーに沿って上方向にスライドさせて両枠部材の間を空け、前記パネルの下端を前記下枠部材のチャンネル部材の側板間に保持し、前記上枠部材を下方にスライドさせて、前記パネルの上端を前記上枠部材のチャンネル部材の側板間に保持可能なことを特徴とする。
【０００５】
本発明によれば、下枠部材に取り付けたワイヤーグリッパーによって、パネルをワイヤーに沿って任意の高さに位置させることができる。そして、ワイヤーグリッパーの大部分を下枠部材内に収容できるように小型化することにより、見栄えを良くすることができる。
【０００６】
また、上枠部材を設けることにより、パネルの上部の振れを押えることができる。そして、上枠部材をワイヤーに沿って自由に上下にスライドさせることができるので、パネルを簡単に取り付け・取り外しできる。
なお、上枠部材をワイヤーが貫通する部分は斜めであってもよい。
【０００７】
本発明においては、  前記パネルが、２枚の透明なパネル板を有し、  該パネル板間にシート状のディスプレイが挟まれることとできる。
【０００８】
この場合、ポスター等のディスプレイをパネル間に挟んで展示するので、画鋲やテープなどを使用する必要がなく、ディスプレイを傷つけないように展示できる。
【０００９】
本発明のバー吊り装置は、  バーと、  該バーを吊るワイヤーと、  前記バーの端部に取り付けられた、前記ワイヤーの任意の位置に係止可能なワイヤーグリッパーと、を具備するバー吊下げ装置であって、  前記ワイヤーグリッパーが、  前記ワイヤーをグリップするワイヤーグリッパー本体と、  該グリッパー本体に連結されており、前記バーの端部の穴に挿入された係止部材と、を有し、  前記係止部材が弾性材ピースであり、該弾性材ピースを変形させることにより、該ピースを前記バーに摩擦係止させて該バーを吊ることを特徴とする。
【００１０】
本発明によれば、ワイヤーの任意の位置に係止可能なワイヤーグリッパーをバーの端部に取り付けているので、バーをワイヤーに沿って任意の高さに位置させることができる。そして、ワイヤーグリッパーの外形をバーの形状とほぼ等しい形状とすることにより、見栄えを良くすることができる。
【００１１】
さらに、弾性材ピースを変形させることにより係止部材をバーに取り付け・取り外しできるので、バーの種類や長さを替えても、ワイヤーグリッパーや係止部材を共用して使用できる。
【発明の効果】
【００１２】
以上の説明から明らかなように、本発明によれば、すっきりとして見栄えの良いパネル吊り装置及びバー吊り装置を提供できる。
【発明を実施するための形態】
【００１３】
以下、本発明の実施の形態について、図面を参照しながら詳細に説明する。
図１は、本発明の実施の形態に係るパネル吊り装置の構成を示す分解斜視図である。
図２は、図１のパネル吊り装置の上枠部材の構造を示す図であり、図２（Ａ）は正面図、図２（Ｂ）はＢ−Ｂ断面図、図２（Ｃ）はＣ−Ｃ断面図である。
図３は、図１のパネル吊り装置の下部材の構造を示す図であり、図３（Ａ）は正面図、図３（Ｂ）はＢ−Ｂ断面図、図３（Ｃ）はワイヤーグリッパーの側面断面図、図３（Ｄ）はＣ−Ｃ断面図である。
このパネル吊り装置１は、図１に示すように、パネル１０と、パネル１０を吊る２本のワイヤーＷと、パネル１０の上部に係合する上枠部材２０と、パネル１０の下部に係合する下枠部材４０とから主に構成される。
【００１４】
パネル１０は、同じ大きさの２枚の透明な板１１からなり、透明板１１の間にポスターや絵などのディスプレイが挟まれる。板１１は例えばアクリル製である。
なお、板１１自体にディスプレイがなされている場合や貼り付けられている場合は、板１１は１枚でもよい。
【００１５】
図２を参照して上枠部材２０を説明する。
図２（Ｂ）、図２（Ｃ）に示すように、上枠部材２０は、開口が下を向いたチャンネル部材２１を有する。チャンネル部材２１は、断面がコの字状で、上板２１ａと、その両側で対向する一対の側板２１ｂからなる。側板２１ｂ間の距離はパネル１０の厚さとほぼ等しく、パネル１０は両側板２１ｂに挟まれてチャンネル部材２１に保持される。図２（Ｂ）に示すように、上板２１ａの両端には、ワイヤーＷが貫通する孔２２が開けられている。
【００１６】
チャンネル部材２１の両端には、筒ブッシュ２５が差し込まれて、リベット２４により上板２１ａに固定されている。筒ブッシュ２５は、図２（Ｂ）に示すように、チャンネル部材２１内にぴったり入り込む寸法である。筒ブッシュ２５には、上板２１ａの貫通孔２２に連通する貫通孔２６とネジ孔２７が、上から順に同軸上を延びるように形成されている。このネジ孔２７には、中心に貫通孔２８を有するネジ２９が螺合している。図２（Ｂ）に示すように、上板２１ａの貫通孔２２、筒ブッシュ２５の貫通孔２６とネジ孔２７、ネジ２９の貫通孔２８は上下方向に同軸上に並んでいる。
【００１７】
図２（Ａ）、（Ｃ）に示すように、一方の側板２１ｂの両端から内側には、止めネジ３１が螺合している。この止めネジ３１は、チャンネル部材２１内に保持されたパネル１０を固定するためのものである。止めネジ３１の先端には樹脂パッド３３が圧入されている。止めネジ３１をドライバーを使用してチャンネル部材２１内にねじ込むと、チャンネル部材２１に保持されたパネル１０は、パッド３３と反対側の側板２１ｂ間に固定される。
なお、止めネジ３１の替わりにローレットつまみ付きのネジを使用することもできる。この場合、ドライバーを使用しなくても手で回すことができる。
【００１８】
図３を参照して下枠部材４０を説明する。
下枠部材４０は、上枠部材２０に使用されているのと同じチャンネル部材２１を有する。ただし、下枠部材４０では、チャンネル部材２１を開口が上を向くように配置する。
【００１９】
チャンネル部材２１内の両端には、上枠部材２０に使用されているのと同じ筒ブッシュ２５が差し込まれて、リベット２４により下板２１ａ（上枠部材２０の上板２１ａと同じ）に固定されている。そして、図３（Ｂ）に示すように、下枠部材４０の筒ブッシュ２５のネジ孔２９には、中心にワイヤー貫通孔５２を有するワイヤーグリッパー５０が螺合している。同図に示すように、チャンネル部材２１の下板２１ａの貫通孔２２、筒ブッシュ２５の貫通孔２６とネジ孔２７、ワイヤーグリッパー５０のワイヤー貫通孔５２は上下方向に同軸上に並んでいる。
【００２０】
ワイヤーグリッパー５０の構造を図３（Ｃ）を参照して説明する。
グリッパー本体５０は、内スリーブ５１と、外スリーブ５７と、ボール５５と、スプリング５９とから主に構成される。
【００２１】
内スリーブ５１には、ワイヤーが挿通されるワイヤー通し孔５２が軸方向に貫通して形成されている。内スリーブ５１は、図の上から順に、円筒状の先部５１ａと、先部の下端から径が拡がるテーパ状の外周面を有する円錐状の中央部５１ｂと、円筒状の基部５１ｃとを有する。基部５１ｃの外周は、中央部５１ｂの最大径部から一段小径となっている。
【００２２】
内スリーブ５１の先部５１ａと中央部５１ｂの間には、同部の外周面とワイヤー通し孔５２に開口する３個のボールセット孔５３が形成されている。ボールセット孔５３は、ワイヤー通し孔５２の中心に対して等しい中心角度（この例では１２０°）に位置し、同孔５２の軸と直交する方向（径方向）に延びている。各ボールセット孔５３には、ボール５５が嵌合している。各孔５３の径は、ボール５５の径にプラスα（例えば、０．１ｍｍ）した寸法であり、各ボール５５は各孔５３内に回転可能に支持されているとともに、孔軸方向に移動可能である。また、各孔５３の長さは、ボール５５の径よりやや短い。
【００２３】
外スリーブ５７は円筒状の部材であり、外周面にはネジが形成されている。このネジは筒ブッシュ２５のネジ孔２７に螺合し、外スリーブ５７の全体は筒ブッシュ２５のネジ孔２７内に収容される。外スリーブ５７の内周面の上部には上に向って先細のテーパ内周面が形成されている。内スリーブ５１は、先部５１ａを先にして、外スリーブ５７の下側の開口から挿入されている。
【００２４】
外スリーブ５７内の、内スリーブ基部５１ｃにはスプリング５９が挿嵌されている。スプリング５９は、内スリーブ５１の中央部５１ｂの下面と筒ブッシュ２５のネジ孔２７の底面との間に配置されている。このスプリング５９により、内スリーブ５１が先方向に付勢されている。この付勢に伴い、内スリーブ先部５１ａは外スリーブ５７の上側の開口から突き出て、チャンネル部材２１の上面から突き出している。同時に、内スリーブ５１の中央部５１ｂのテーパ外周面が外スリーブ５７のテーパ内周面に当接している。このとき、内スリーブ５１の各ボールセット孔５３に嵌合している各ボール５５は、外側が外スリーブ５７のテーパ内周面に押されて内側がワイヤー通し孔５２に突き出ている。
【００２５】
ワイヤーをグリッパー本体５０に通す際は、通常は、ワイヤーを内スリーブ先部５１ａからワイヤー通し孔５２に差し込む。ワイヤーがボールセット孔５３のボール５５に達すると、ボール５５が下に押され、これにより内スリーブ５１がスプリング５９の付勢力に抗して下方向へ移動する。内スリーブ５１が下方向へ移動すると、ボール５５は外スリーブ５７のテーパ内周面のテーパの径大部に移動する。すると、ボール５５は同孔５３内で外方向に移動可能となる。そして、ボール５５は、ワイヤーの外面で押されて外方向に移動する。この結果、ワイヤー通し孔５２が開き、ワイヤーは同孔５２を貫通可能となる。
【００２６】
ワイヤーをボールセット孔５３を超えるまで差し込んでワイヤーを上方向に引くと、あるいは、グリッパー本体５０の外スリーブ５７を下に引くと、ワイヤーはグリッパー本体５０にグリップされる。つまり、この状態では、内スリーブ５１はスプリング５９で上方に付勢されて、中央部５１ｂのテーパ外周面が外スリーブ５７のテーパ内周面に当接している。そして、内スリーブ５１の各ボールセット孔５３に嵌合しているボール５５の外側の面が外スリーブ５７のテーパ内周面で押されて、ボール５５の内側の面がワイヤー通し孔５２に突き出ている。ワイヤーは、この突き出たボール５５に挟まれてグリップされる。なお、ワイヤーが上に引かれるか外スリーブが下に引かれると、内スリーブ５１は外スリーブ５７に対して相対的に上に引かれることとなり、両者のテーパ面の作用によりボール５５はより内側に押されてグリップ力は高まることとなる。
【００２７】
グリップを解除する際は、解除操作部としての内スリーブ先部５１ａをスプリング５９の付勢力に抗して押し下げる。すると、内スリーブ５１は外スリーブ５７内に押し込まれて、内スリーブ５１は、外スリーブ５７のテーパ内周面の径が広くなる方向へ動く。その結果、内スリーブ中央部５１ｂのテーパ外周面と外スリーブ５７のテーパ内周面との間にスキマが開き、内スリーブ５１のボールセット孔５３に嵌合しているボール５５は、同孔内を外方向（ワイヤー通し孔５２から退く方向）に移動可能となる。この結果、ワイヤーをグリッパー本体５０から引き抜くことができる。
【００２８】
図３（Ｄ）に示すように、一方の側板２１ｂの両端から内側には、上枠部材２０と同様に、チャンネル部材２１に保持されたパネル１０を固定するための、パッド３３付きの止めネジ３１が螺合している。
【００２９】
パネル吊り装置１は、さらに、パネル１０の上下方向中間部のふくれを防止する固定具６１を備える。この固定具６１は、断面がコの字状の部材であり、一方の片に、止めネジ３１が螺合している。この止めネジ３１は各枠部材２０、４０に使用する止めネジ３１と同様のものを使用できる。
【００３０】
このパネル吊り装置１にパネル１０を取り付ける方法の一例を説明する。
まず、ワイヤーＷを上枠部材２０の貫通孔２２を通して下方に引き出し、次に、下枠部材４０のワイヤーグリッパー５０のワイヤー通し孔５２に通す。ワイヤーは前述のとおりワイヤー通し孔５２を通過し、その後、下枠部材４０の貫通孔２２から下方へ引き出される。そして、ワイヤーＷを上方向に引くと、あるいは、グリッパー本体５０の外スリーブ５７を下に引くと、ワイヤーＷはグリッパー本体５０にグリップされる。
【００３１】
吊り下げ高さを変える場合は、前述のように下枠部材４０から突き出たワイヤーグリッパー５０の内スリーブ先部５１ａを下方に押して、ワイヤーグリッパー５０をワイヤーＷに沿って上下に移動可能とする。そして、所定の高さに下枠部材４０をスライドさせた後、ワイヤーグリッパー５０の内スリーブ先部５１ａを押していた力を解除すると、下枠部材４０がワイヤーＷにグリップされる。
【００３２】
下枠部材４０の位置が決まると、上枠部材２０をワイヤーＷに沿って上方向にスライドさせて、上下枠部材２０、４０の間を空ける。そして、ポスター等が挟まれたパネル１０の下端を下板部材４０のチャンネル部材２１の側板２１ｂ間に保持する。そして、上枠部材２０を下方にスライドさせて、パネル１０の上端を上板部材２０のチャンネル部材２１の側板２１ｂ間に保持する。最後に、各枠部材２０、４０の止めネジ３１でパネル１０を各枠部材２０、４０に固定する。また、固定具６１で、パネル１０の上下方向中間部をふくらまないように固定する。
【００３３】
図４は、図１のパネル吊り装置の使用例を示す図である。
図４（Ａ）は、２個のパネル吊り装置１をワイヤーＷに沿って上下に並べて吊り下げた例である。
図４（Ｂ）は、パネル吊り装置１が吊り下げられているワイヤーＷの上端を、天井に固定下レール７１に沿ってスライド可能な留め具に固定した例である。
図４（Ｃ）は、パネル吊り装置１が吊り下げられているワイヤーＷの上端を、天井に固定したレール８１に沿ってスライド可能な留め具に固定し、同レール８１に照明器具８３をスライド可能に取り付けた例である。また、この例では、パネル吊り下げ装置１の下方に、後述するバー吊り下げ装置１００を吊り下げている。
【００３４】
図５は、本発明の実施の形態に係るバー吊り装置の構成を説明する斜視図である。
図６は、図５のバー吊り装置の構造を示す図であり、図６（Ａ）は正面図、図６（Ｂ）は正面断面図である。
図７は、図５のバー吊り装置のワイヤーグリッパー付近の構造を示す図であり、図７（Ａ）は正面図、図７（Ｂ）は正面断面図である。
このバー吊り装置１００は、図５に示すように、パイプ状のバー１１０と、バー１１０を吊る２本のワイヤーＷと、バー１１０の両端部に係止部材１７０で取り付けられた、ワイヤーＷの任意の位置に係止可能なワイヤーグリッパー１５０とから主に構成される。
【００３５】
図６に示すように、ワイヤーグリッパー１５０は、バー１１０の両端に係止部材１７０によって取り付けられている。ワイヤーグリッパー１５０は、図７（Ｂ）に示すように、図１のパネル吊り装置１のワイヤーグリッパー５０と同様に、内スリーブ１５１、外スリーブ１５７、ボール１５５、スプリング１５９等から構成され、同グリッパー５０と同じ作用を有する。ただし、この例のワイヤーグリッパー１５０の構造は、以下の点で図１のパネル吊り装置１のワイヤーグリッパー５０（図３（Ｃ）参照）と異なる。
【００３６】
図７のワイヤーグリッパー１５０は、スプリング１５９の下端が、外スリーブ１５７の中空孔部に螺合したスプリング押え１６１によって支持されている。また、外スリーブ１５７から突出した内スリーブの先部１５１ａに、ストッパーキャップ１６３が螺合している。このストッパーキャップ１６３を先部１５１ａに完全に螺合させると、先部１５１ａが移動不能となって外スリーブ１５７に押し込むことができなくなるので、グリップの解除が不能となる。グリッパー作用は、図３（Ｂ）、（Ｃ）を用いて前述したのと同様であるので説明を省略する。
【００３７】
さらに、外スリーブ１５７が、図５に示すように、バー１１０の外径とほぼ等しい径の円柱を立てた形状である。図７（Ｂ）に示すように、外スリーブ１５７の一方の側面には、受け部材１６５がビス１６７で回動可能に取り付けられている。この受け部材１６５も、バー１１０の外径とほぼ等しい径の円柱を立てた形状である。この受け部材１６５の側面には、係止部材１７０が螺合するネジ孔１６８が形成されている。
【００３８】
係止部材１７０は、図７に示すように、バー１１０の長さ方向に同軸上に並んで配置される座金１７１と弾性部材１８１からなる。
座金１７１は、バー１１０の内径とほぼ等しい外径の略円筒状の部材であり、軸芯には、バー１１０の長さ方向に延びる貫通孔１７３が開けられている。座金１７１の一端面は弾性部材１８１と接する平坦な接触面となっており、反対側の端面にはネジ１７５が形成されている。このネジ１７５は、受け部材１６５のネジ孔１６８に螺合する。ネジ１７５の基端には外方向に拡がるフランジ１７７が形成されている。
【００３９】
弾性部材１８１は、ゴム等で作製された、バー１１０の内径とほぼ等しい外径の円筒状の部材であり、軸芯には、バー１１０の長さ方向に延びる貫通孔１８３が開けられている。弾性部材１８１の一端面は座金１７１の接触面と接する平坦な接触面となっており、反対側の面には、凹部１８５がくり貫いて形成されている。
【００４０】
座金１７１と弾性部材１８１は、接触面同士が接するように軸方向に並んで配置されて、座金１７１側から貫通孔１７３、１８３に皿ネジ１９０が通されている。皿ネジ１９０の先端には、ナット１９１が螺合している。ナット１９１は、弾性部材１８１の端面からくり貫かれた凹部１８５に配置されている。
【００４１】
次に、この係止部材１７０を用いてワイヤーグリッパー１５０をバー１１０の端部に固定する方法を説明する。
まず、係止部材１７０を弾性部材１８１を先にしてバー１１０の端部から挿入し、座金１７１のフランジ１７７をバー１１０の端部に当接させる。弾性部材１８１の外径はバー１１０の内径とほぼ等しいので、弾性部材１８１の外周面はバー１１０の内周面に摩擦をもって接触する。次に、皿ネジ１９１を締める。このとき、ナット１９１はバー１１０の内周面に接触している弾性部材１８１で押されて回動不能であるので、ナット１９１が皿ネジ１９０のヘッド方向に移動し始める。すると、弾性部材１８１がナット１９１と座金１７１間で圧縮されて外方向に拡がろうと変形する。このように弾性部材１８１が変形すると、弾性部材１８１とバー１１０の内周面との間の摩擦力が高くなり、弾性部材１８１がバー１１０にしっかりと係止される。
【００４２】
こうして係止部材１７０がバー１１０の端部に係止された後、座金１７１のネジ１７５を受け部材１６５のネジ孔１６８に螺合させて、係止部材１７０にワイヤーグリッパー１５０を固定する。このとき、図５に示すように、ワイヤーグリッパー１５０の外スリーブ１５７や受け部材１６５は、バー１１０の外径とほぼ等しい径の円柱を立てたような形状であるため、ワイヤーグリッパー１５０と受け部材１６５はバー１１０が延長されたように見える。
【００４３】
係止部材１７０をバー１１０から取り外す際は、ワイヤーグリッパー１５０を係止部材１７０から取り外した後、皿ネジ１９０を緩める。すると、皿ネジ１９０のヘッドとナット１９１の間が広がり、弾性部材１８１が元の径に戻る。こうして、係止部材１７１が引き抜き可動となるまで皿ネジ１９０を緩めた後、係止部材１７０をバー１１０から引き抜く。
【００４４】
このように、この例のバー吊り装置１は、ワイヤーグリッパー１５０をバー１１０に係止させる係止部材１７０をバー１１０から簡単に取り外すことができる。このため、バー１１０の種類（内径は同じ）や長さを替えたいときにも、ワイヤーグリッパー１５０や係止部材１７０を共有して使用できる。
【００４５】
図８は、本発明の他の実施の形態に係るバー吊り装置の構成を示す図であり、図８（Ａ）は正面図、図８（Ｂ）は正面断面図である。
図９は、図８のバー吊り装置のワイヤーグリッパー付近の構造を示す図であり、図９（Ａ）は正面図、図９（Ｂ）は正面断面図である。
この例のバー吊り装置１００´は、図６のバー吊り装置１００とほぼ同様の構成を有するが、ワイヤーグリッパー１５０´の構造が異なる。以下、ワイヤーグリッパー１５０´の構造を、図６のバー吊り装置１００のワイヤーグリッパー１５０と異なる点を中心にして説明する。
【００４６】
図９（Ａ）、（Ｂ）に示すように、図８のワイヤーグリッパー１５０´のワイヤーキャップ１６３´、内スリーブ１５１´、外スリーブ１５７´、スプリング押え１６１´には、各々ワイヤー通し孔１５２に連通するスリット１６４、１５４、１５８、１６２が形成されている。これらスリットは、ワイヤーＷの途中に、ワイヤーグリッパー１５０´を取り付け・取り外しするためのものである。
【００４７】
ワイヤーＷの途中にワイヤーグリッパー１５０´を取り付ける操作を説明する。
まず、ワイヤーキャップ１６３´を十分に緩めて、内スリーブ１５１´を外スリーブ１５７´に対して押し込み可能としておく。次に、ワイヤーキャップ１６３´、内スリーブ１５１´、外スリーブ１５７´、スプリング押え１６１´のスリット１６４、１５４、１５８、１６２を直線上に並べる。そして、ワイヤーＷの所望の位置に、直線上に並んだスリット１６４、１５４、１５８、１６２を当てながらキャップ１６３´を下方に押す。各ボールセット孔に保持されているボール１５５は外方向に移動可能であるので、各ボール１５５は、各スリットを通過したワイヤーの外面で押されて外方向に移動する。この結果、ワイヤー通し孔１５２が開き、ワイヤーは同孔１５２に入り込む。
【００４８】
その後、内スリーブ１５１´を押していた力を解除すると、グリッパー機構が作用してワイヤーグリッパー１５０´がワイヤーＷにグリップされる。そして、キャップ１６３´を締めて、内スリーブ１５１´を押し込み不能としてロックする。
【００４９】
なお、この構造をとるためには、内スリーブ１５７´を付勢するスプリングを、左右に分けて２個設ける必要がある。これは、図５のバー吊り装置１００のワイヤーグリッパー１５０のように内スリーブ１５１の中央部１５１ｂの下面とバネ押え１６１´間にスプリングを配置すると、スプリング１５９がスリットを横切るように位置し、ワイヤーＷがスリットからワイヤー通し孔１５２へ通過できないためである。
【００５０】
このために、この例では、バネ押え１６１´の、スリット１６２の両側にバネ１５９Ａ、１５９Ｂが挿嵌される円柱部１６６が突設されている。バネ１５９Ａ、１５９Ｂは、この円柱部１６６に挿嵌されており、上端がボール１６９を介して内スリーブ１５１´の中央部の下面に当たっている。
【００５１】
図１０、図１１は、バー吊り装置の使用例を示す図である。
図１０は、天井から吊り下げたワイヤーＷの上下にバー吊り装置１００で２本のバー１１０を係止させ、バー１１０間にタペストリーＴ等をディスプレイした例である。
図１１は、天井から吊り下げたワイヤーＷの上下にバー吊り装置１００で２本のバー１１０を係止させ、各バー１１０にハンガーＨを掛けた例である。
【００５２】
これらの図に示すように、ワイヤーグリッパー１５０や受け部材１６５の外形は、バー１１０の形状とほぼ同じ形状であるため、デザイン性の高い空間で使用されても違和感を与えない。
【図面の簡単な説明】
【００５３】
【図１】本発明の実施の形態に係るパネル吊り装置の構成を示す分解斜視図である。
【図２】図１のパネル吊り装置の上枠部材の構造を示す図であり、図２（Ａ）は正面図、図２（Ｂ）はＢ−Ｂ断面図、図２（Ｃ）はＣ−Ｃ断面図である。
【図３】図１のパネル吊り装置の下部材の構造を示す図であり、図３（Ａ）は正面図、図３（Ｂ）はＢ−Ｂ断面図、図３（Ｃ）はワイヤーグリッパーの側面断面図、図３（Ｄ）はＣ−Ｃ断面図である。
【図４】図１のパネル吊り装置の使用例を示す図である。
【図５】本発明の実施の形態に係るバー吊り装置の構成を説明する斜視図である。
【図６】図５のバー吊り装置の構造を示す図であり、図６（Ａ）は正面図、図６（Ｂ）は正面断面図である。
【図７】図５のバー吊り装置のワイヤーグリッパー付近の構造を示す図であり、図７（Ａ）は正面図、図７（Ｂ）は正面断面図である。
【図８】本発明の他の実施の形態に係るバー吊り装置の構成を示す図であり、図８（Ａ）は正面図、図８（Ｂ）は正面断面図である。
【図９】図８のバー吊り装置のワイヤーグリッパー付近の構造を示す図であり、図９（Ａ）は正面図、図９（Ｂ）は正面断面図である。
【図１０】バー吊り装置の使用例を示す図である。
【図１１】バー吊り装置の使用例を示す図である。
【符号の説明】
【００５４】
１  パネル吊り装置                  １０  パネル
１１  透明板
２０  上枠部材                        ２１  チャンネル部材
２２  貫通孔                          ２４  リベット
２５  筒ブッシュ                      ２６  貫通孔
２７  ネジ孔                          ２８  貫通孔
２９  ネジ                            ３１  止めネジ
３３  樹脂パッド
４０  下枠部材
５０  ワイヤーグリッパー              ５１  内スリーブ
５２  ワイヤー通し孔                  ５３  ボールセット孔
５５  ボール                          ５７  外スリーブ
５９  スプリング                      ６１  固定具
７１  レール                          ８１  レール
８３  照明器具
１００  バー吊り装置                  １１０  バー
１５０  ワイヤーグリッパー            １５１  内スリーブ
１５５  ボール                        １５４  スリット
１５７  外スリーブ                    １５８  スリット
１５９  スプリング                    １６１  スプリング押え
１６２  スリット                      １６３  ストッパーキャップ
１６４  スリット                      １６５  受け部材
１６６  円柱部                        １６７  ビス
１６８  ネジ孔                        １６９  ボール
１７０  係止部材                      １７１  座金
１７３  貫通孔                        １７５  ネジ
１７７  フランジ                      １８１  弾性部材
１８３  貫通孔                        １８５  凹部
１９０  皿ネジ                        １９１  ナット
【図１】
0004764746.tif 000002
【図２】
0004764746.tif 000003
【図３】
0004764746.tif 000004
【図４】
0004764746.tif 000005
【図５】
0004764746.tif 000006
【図６】
0004764746.tif 000007
【図７】
0004764746.tif 000008
【図８】
0004764746.tif 000009
【図９】
0004764746.tif 000010
【図１０】
0004764746.tif 000011
【図１１】
0004764746.tif 000012